(57)【要約】【課題】簡単な構造により攪拌羽根の殺菌を図ることが可能なカップ式自動販売機を提供する。【解決手段】飲料攪拌装置１の昇降機構によりカップＣ内に入り込むように下降およびカップＣ内からカップＣの外に出るように上昇するとともに回転軸４を有する攪拌羽根２を備え、カップＣ内で飲料を調整するカップ内ミキシング方式のカップ式自動販売機であって、上昇した攪拌羽根２の周囲に紫外線ＬＥＤ１２を配設し、当該紫外線ＬＥＤ１２により攪拌羽根２に紫外線を照射して殺菌することにより衛生状態を維持する。【選択図】図１
2015146120.tif 000002
【特許請求の範囲】
【請求項１】
飲料攪拌装置の昇降機構によりカップ内に入り込むように下降およびカップ内からカップの外に出るように上昇するとともに回転軸を有する攪拌羽根を備え、カップ内で飲料を調整するカップ内ミキシング方式のカップ式自動販売機において、上昇した攪拌羽根の周囲に紫外線光源を配設し、当該紫外線光源により攪拌羽根に紫外線を照射することを特徴とするカップ式自動販売機。
【請求項２】
請求項１に記載のカップ式自動販売機において、紫外線光源は上昇した攪拌羽根の周囲の複数個所に配設された紫外線光源からなることを特徴とするカップ式自動販売機。
【請求項３】
請求項１に記載のカップ式自動販売機において、紫外線光源は上昇した攪拌羽根の周囲の一箇所に配設された紫外線光源からなり、当該紫外線光源から攪拌羽根に紫外線を照射する際、攪拌羽根を回転させることを特徴とするカップ式自動販売機。
【請求項４】
請求項２または請求項３のいずれかに記載のカップ式自動販売機において、紫外線光源は攪拌羽根および回転軸に沿って上下方向に複数個配置されてなることを特徴とするカップ式自動販売機。
【請求項５】
請求項１に記載のカップ式自動販売機において、回転軸および攪拌羽根は金属或いはセラミックなど非樹脂製材料からなることを特徴とするカップ式自動販売機。
【請求項６】
請求項１乃至請求項５の何れか１項に記載のカップ式自動販売機において、上昇した攪拌羽根および紫外線光源を包囲する金属製若しくは内壁を金属メッキ処理された遮光部材（ケーシング）を有することを特徴とするカップ式自動販売機。
【請求項７】
請求項１乃至請求項４の何れか１項に記載のカップ式自動販売機において、紫外線光源は紫外線ＬＥＤからなることを特徴とするカップ式自動販売機。
【請求項８】
請求項１乃至請求項７の何れか１項に記載のカップ式自動販売機において、カップ内に温水を注入する給湯ノズルを有し、飲料調整後にカップの外に上昇する攪拌羽根を給湯ノズルにより洗浄したうえで紫外線光源により攪拌羽根を殺菌することを特徴とするカップ式自動販売機。
【発明の詳細な説明】
【技術分野】
【０００１】
この発明は、粉末原料が注入されたカップ内に湯または水等の希釈液若しくは抽出されたコーヒー液を注入したうえで攪拌羽根により攪拌して調整するカップ内ミキシング方式のカップ式自動販売機に関する。
【背景技術】
【０００２】
インスタントコーヒーを調整してカップ飲料として販売に供するカップ式自動販売機は、前面が開口したキャビネット内に、容量の異なる種類（例えば、大、中、小の３種類）のカップを種類別に多数積み重ねて収容したカップ供給装置、各種粉末原料（例えば、クリーム、コーヒー、砂糖など）を種類別に収納したキャニスタ、カップを把持して搬送するカップ搬送装置、昇降機構により上下方向に移動自在な攪拌羽根を有する飲料攪拌装置、ベンドステージ（商品販売口）、温水タンク、冷水タンク、製氷機などが配設され、キャビネットの開口を閉塞する扉に、飲料を選択する商品選択ボタン、原料の濃度を調整する調整ボタン、ベンドステージに対峙する商品取出口などが配設されている。カップ搬送装置は、カップ供給装置から供給されたカップ（大、中、小の何れかのカップ）を把持してキャニスタおよび飲料攪拌装置を経由して商品販売口に対峙するベンドステージまで搬送するように構成されている。また、カップ搬送装置は把持したカップがキャニスタおよび飲料攪拌装置の位置（飲料調整位置）に到達すると一端停止するように構成され、キャニスタ位置ではカップ内にクリーム、コーヒー、砂糖などの粉末原料が注入され、飲料調整位置ではカップ内に温水タンクから給湯ノズルを介して温水（ホット飲料販売時）が注入されるとともに飲料攪拌装置により攪拌羽根を下降させたうえで粉末原料と温水とを攪拌してコーヒー飲料を調整するように構成されている。レギュラーコーヒーをカップ飲料として販売する場合には、コーヒー豆をその種類別に保管するコーヒー豆キャニスタ、当該コーヒー豆キャニスタから搬出されたコーヒー豆を粉に挽くミル、粉砕されたコーヒー豆と湯水タンクから給湯ノズルを介して注入され温水を用いてレギュラーコーヒー液を抽出するコーヒーブリュアが追加装備され、コーヒーブリュアから抽出されたレギュラーコーヒー液がカップ内に注入される。
前述した砂糖，クリーム入りレギュラーコーヒーやインスタントコーヒーなどの飲料をカップ内で調整するカップ内ミキシング方式のカップ式自動販売機は、飲料調整位置でカップ内に飲料攪拌装置の攪拌羽根を進入させて飲料を攪拌し、飲料調整後に攪拌羽根をカップの外に引き上げる（昇降機構により攪拌羽根を上昇させる）ように構成されている。このように、飲料攪拌装置の攪拌羽根はカップ内に進入させて飲料に浸漬されることから飲料が付着している場合が多く、特に糖分が付着している場合には雑菌が繁殖するおそれがある。そこで、飲料調整後に攪拌羽根をカップの外に上昇させた状態で給湯ノズルから温水をかけることにより洗浄したうえで攪拌羽根を強制的に加熱乾燥して菌の繁殖を防止するものが知られている（たとえば、特許文献１参照）。
【先行技術文献】
【特許文献】
【０００３】
【特許文献１】特公平７−１５０６号公報
【発明の概要】
【発明が解決しようとする課題】
【０００４】
前述した特許文献１に開示された発明においては、飲料調整後の攪拌羽根を温水により洗浄するとともに加熱乾燥させることによって菌が増殖するのを防止できる点で優れている。しかしながら、攪拌羽根を加熱乾燥させて菌の増殖を防止するためにヒータや温風機を設けねばならないのでコストが嵩むとともに、攪拌羽根を加熱乾燥させる度にヒータや温風器を起動せねばならないので電力消費量が増大してランニングコストが嵩むという課題を有する。
【０００５】
本発明は上記の点に鑑みなされたものであり、その目的は前記課題を解決し、簡単な構造により攪拌羽根の殺菌を図ることが可能なカップ式自動販売機を提供することにある。
【課題を解決するための手段】
【０００６】
上記目的を達成するために請求項１に係る発明は、飲料攪拌装置の昇降機構によりカップ内に入り込むように下降およびカップ内からカップの外に出るように上昇するとともに回転軸を有する攪拌羽根を備え、カップ内で飲料を調整するカップ内ミキシング方式のカップ式飲料自動販売機において、上昇した攪拌羽根の周囲に紫外線光源を配設し、当該紫外線光源により攪拌羽根に紫外線を照射することを特徴とする。
【０００７】
また、請求項２に係る発明は、請求項１に記載のカップ式自動販売機において、紫外線光源は上昇した攪拌羽根の周囲の複数個所に配設された紫外線光源からなることを特徴とする。
【０００８】
また、請求項３に係る発明は、請求項１に記載のカップ式自動販売機において、紫外線光源は上昇した攪拌羽根の周囲の一箇所に配設された紫外線光源からなり、当該紫外線光源から攪拌羽根に紫外線を照射する際、攪拌羽根を回転させることを特徴とする。
【０００９】
また、請求項４に係る発明は、請求項２または請求項３のいずれかに記載のカップ式自動販売機において、紫外線光源は攪拌羽根および回転軸に沿って上下方向に複数個配置されてなることを特徴とする。
【００１０】
また、請求項５に係る発明は、請求項１に記載のカップ式自動販売機において、回転軸および攪拌羽根は金属或いはセラミックなど非樹脂製材料からなることを特徴とする。
【００１１】
また、請求項６に係る発明は、請求項１乃至請求項５の何れかに記載のカップ式自動販売機において、上昇した攪拌羽根および紫外線光源を包囲する金属製若しくは内壁を金属メッキ処理された遮光部材（ケーシング）を有することを特徴とする。
【００１２】
また、請求項７に係る発明は、請求項１乃至請求項４の何れかに記載のカップ式自動販売機において、紫外線光源は紫外線ＬＥＤからなることを特徴とする。
【００１３】
また、請求項８に係る発明は、請求項１乃至請求項７の何れかに記載のカップ式自動販売機において、カップ内に温水を注入する給湯ノズルを有し、飲料調整後にカップの外に上昇する攪拌羽根を給湯ノズルにより洗浄したうえで紫外線光源により攪拌羽根を殺菌することを特徴とする。
【発明の効果】
【００１４】
本発明の請求項１に係る発明によれば、飲料攪拌装置の昇降機構によりカップ内に入り込むように下降およびカップ内からカップの外に出るように上昇するとともに回転軸を有する攪拌羽根を備え、カップ内で飲料を調整するカップ内ミキシング方式のカップ式飲料自動販売機において、上昇した攪拌羽根の周囲に紫外線光源を配設し、当該紫外線光源により攪拌羽根に紫外線を照射することにより、上昇した攪拌羽根の周囲に紫外線光源を配設するという簡単な構成でありながら攪拌羽根に菌が生成するのを防止して衛生状態を維持することが可能であるという効果を奏する。
【００１５】
また、本発明の請求項２に係る発明によれば、請求項１に記載のカップ式自動販売機において、紫外線光源は上昇した攪拌羽根の周囲の複数個所に配設された紫外線光源からなることにより、攪拌羽根の全周を隈なく殺菌することができるものである。
【００１６】
また、本発明の請求項３に係る発明によれば、請求項１に記載のカップ式自動販売機において、紫外線光源は上昇した攪拌羽根の周囲の一箇所に配設された紫外線光源からなり、当該紫外線光源から攪拌羽根に紫外線を照射する際、攪拌羽根を回転させることにより、紫外線光源の個数を削減しつつ攪拌羽根の全周を隈なく殺菌することができるものである。
【００１７】
また、本発明の請求項４に係る発明によれば、請求項２または請求項３のいずれかに記載のカップ式自動販売機において、紫外線光源は攪拌羽根および回転軸に沿って上下方向に複数個配置されてなることにより、攪拌羽根とともに回転軸を殺菌することが可能となる。
【００１８】
また、本発明の請求項５に係る発明によれば、請求項１に記載のカップ式自動販売機において、回転軸および攪拌羽根は金属或いはセラミックなど非樹脂製材料からなることにより、紫外線により回転軸および攪拌羽根が劣化するのを防止することが可能となる。
【００１９】
また、本発明の請求項６に係る発明によれば、請求項１乃至請求項５の何れかに記載のカップ式自動販売機において、上昇した攪拌羽根および紫外線光源を包囲する金属製若しくは内壁を金属メッキ処理された遮光部材（ケーシング）を有することにより、紫外線が外部に漏れるのを防止することができるので、紫外線が人体へ悪影響を及ぼすことがなく、さらに周囲の構成部材が紫外線により劣化するのを防止することができる。
【００２０】
また、請求項７に係る発明によれば、請求項１乃至請求項４の何れかに記載のカップ式自動販売機において、紫外線光源は紫外線ＬＥＤからなることにより、紫外線ＬＥＤから照射される紫外線の光度を調整することができるので、紫外線の光度が経時的に低下する場合にも光度を調整して殺菌効果を維持することが可能となる。
【００２１】
また、請求項８に係る発明によれば、請求項１乃至請求項７の何れかに記載のカップ式自動販売機において、カップ内に温水を注入する給湯ノズルを有し、飲料調整後にカップの外に上昇する攪拌羽根を給湯ノズルにより洗浄したうえで紫外線光源により攪拌羽根を殺菌することにより、攪拌羽根の殺菌を確実なものとすることができる。
【図面の簡単な説明】
【００２２】
【図１】本発明の実施の形態にかかるカップ式自動販売機に内蔵された攪拌羽根およびその周辺機器を示す模式図である。
【図２】図１の攪拌羽根を殺菌する制御構成を示す制御ブロック図である。
【発明を実施するための形態】
【００２３】
以下、本発明の実施の形態を図面に基づいて詳細に説明する。
図１において、１はカップ式自動販売機における飲料調整位置に配設された飲料攪拌装置を示す。飲料攪拌装置１には、カップＣ内の原料と希釈液若しくはコーヒーブリュアから抽出されたレギュラーコーヒー液とからなる飲料を攪拌混合する攪拌羽根２と、攪拌羽根２を回転駆動する攪拌モータ３と、攪拌モータ３の回転力を攪拌羽根２に伝達する回転軸４と、攪拌モータ３を取り付けた昇降ベース５と、昇降ベース５を上下移動させる昇降モータ６とからなる。前記攪拌羽根２および回転軸４は、金属或いはセラミックなど非樹脂製材料からなるものである。前記昇降ベース５は、飲料攪拌装置１のケースに設けた上下方向に延在する複数のシャフト（不図示）に上下方向に移動自在に取付けられるとともにラック５１が設けられている。また、前記昇降モータ６の回転軸には当該昇降モータ６の回転数を変換する回転数変換部（歯車機構部）６１が設けられ、この回転数変換部（歯車機構）６１の出力軸６２に設けた平歯車（不図示）が前記昇降ベース５のラック５１に噛み合うように構成されている。ここで、前記昇降モータ６、回転数変換部（歯車機構）６１の出力軸６２に設けた平歯車（不図示）、前記昇降ベース５のラック５１が飲料攪拌装置１の昇降機構を構成する。
【００２４】
７は温水タンクに給湯管を介して接続された温水ノズルであり、飲料攪拌装置１のケースの下に取り付けたカップＣの開口部をカバーするカップカバー９に設けられている。攪拌羽根２が、一点鎖線で示したように、下降してカップＣ内で原料を攪拌する際に温水ノズル７から供給された温水（希釈液）は、攪拌羽根２の回転軸４に供給され、当該回転軸４を伝わりながら流れ落ちて攪拌羽根２からカップＣに供給される。カップＣに供給された原料と温水とを攪拌混合して飲料を調理した後に攪拌羽根２を上昇させる際に温水ノズル７から供給された温水は、回転する回転軸４に供給されて回転軸４と攪拌羽根２とを洗浄する。８はカップカバー９に設けられた冷水ノズルであり、冷水タンクに給水管を介して接続されてアイス飲料を調整する際に回転軸４を介してカップＣに冷水を供給するものである。なお、図示は省略したが、カップカバー９にはアイス飲料を調理する際に使用する氷をカップＣに供給する氷供給ガイド、コーヒーブリュアから抽出されたレギュラーコーヒー液をカップＣに供給するコーヒーノズルなどが設けているものである。
【００２５】
さて、飲料攪拌装置１のケース内には、上昇した攪拌羽根２に紫外線を照射することにより殺菌する紫外線殺菌部１０が設けられている。この紫外線殺菌部１０は、攪拌羽根２および回転軸４に沿って上下方向に延在する短冊状のプリント基板１１に実装されるとともに紫外線を回転軸４および攪拌羽根２に向けて照射する複数の紫外線ＬＥＤ（紫外線光源）１２と、上昇した攪拌羽根２と回転軸４の周囲を覆うように配設され、紫外線ＬＥＤ１２と対峙する位置に紫外線照射孔１３ａがそれぞれ設けられた遮光部材（ケーシングともいう）１３とを備えている。前記紫外線ＬＥＤ１２は、攪拌羽根２および回転軸４に沿って上下方向に複数個（この実施の形態では３個）配置してなるＬＥＤモジュール１２ａを基本とし、攪拌羽根２および回転軸４の周囲の複数個所（例えば、９０度の間隔ごとの４箇所）にレイアウトされている。また、ケーシング１３は紫外線による劣化を防止するために金属製になる。このケーシング１３は樹脂製とすることもでき、その場合にはケーシング１３の内面に金属メッキが施される。なお、飲料攪拌装置１のケース、ケーシング１３およびカップカバー９には、上下に移動する攪拌羽根２が通過可能な大きさの貫通穴が開口されているものである。
【００２６】
図１に示すように、カップＣ内の原料と希釈液若しくはコーヒーブリュアから抽出されたレギュラーコーヒー液とからなる飲料を攪拌混合する攪拌羽根２は、昇降モータ６を回転駆動することにより昇降し、攪拌モータ３の回転駆動により回転する。このように、攪拌羽根２を昇降させる昇降モータ６、攪拌羽根２を回転させる攪拌モータ３は、図２の制御ブロック図に示すように、制御部１４に接続され、この制御部１４により制御される。
【００２７】
制御部１４は、中央処理装置としてのＣＰＵ、ＣＰＵの制御プログラムを格納するＲＯＭ、ＣＰＵの制御に必要な各種のプログラムやデータを随時記憶するＲＡＭなどから構成され、前記昇降モータ６や攪拌モータ３を制御するものである。前記制御部１４には、温水ノズル７から温水を吐出する温水弁１５、紫外線ＬＥＤ１２を制御する紫外線ＬＥＤ駆動部１６が接続されている。また、制御部１４には、カップＣの大きさ（大、中、小）を表すカップ容器信号１７、カップＣがカップ搬送装置により飲料調整位置まで搬送されたことを検知するカップ検出信号１８が入力されるように構成されている。
【００２８】
なお、従来のカップ式自動販売機にあっては攪拌羽根２の上限位置がカップカバー９の下方領域に定められ、昇降モータ６による攪拌羽根２のストロークが短いものであったのに対し、この実施の形態では攪拌羽根２がカップカバー９を貫通して飲料攪拌装置１のケース内にまで上昇するように攪拌羽根２のストロークが長くなるように構成されているものである。
【００２９】
かかる構成により、カップ式自動販売機内でカップＣに原料と希釈液を投入し、攪拌羽根２で攪拌して調整したホットコーヒーを販売する際には、選択ボタンが押されると、不図示のカップ供給装置からカップ搬送装置に選択ボタンに応じた大きさのカップＣが供給され、各種粉末原料（例えば、クリーム、コーヒー、砂糖など）を種類別に収納したキャニスタを経由して飲料攪拌装置１の位置（飲料調整位置）まで搬送されるとカップ検出信号１８が制御部１４に入力される。また、制御部１４には、選択ボタンが押されることに伴ってカップ容器信号１７が入力されている。制御部１４は、カップ検出信号１８が入力されるとカップＣが飲料調整位置に到着したと判断して昇降モータ６を回転駆動（例えば、正転駆動）する。なお、攪拌羽根２は販売待機状態においては実線で示す位置に上昇して停止した状態にあるものである。
【００３０】
昇降モータ６が回転駆動されると攪拌羽根２は下降を開始し、点線で示すようにカップＣの中に入る。この場合、制御部１４は、カップ検出信号１８に基いて昇降モータ６の駆動時間を調整する。すなわち、制御部１４は、カップ検出信号１８に基づき、カップＣの大きさ（大、中、小）に応じて攪拌羽根２の下降位置を定めて最適な攪拌が行われるように昇降モータ６の駆動時間を調整する。昇降モータ６により攪拌羽根２を下降させた後、攪拌モータ３を駆動して攪拌羽根２を回転させると同時に、温水弁１５をオンして温水ノズル７から温水を供給する。温水ノズル７から供給される温水は、回転軸４を伝わりながら流れ落ちて攪拌羽根２から放射状に広がった流れとなりカップＣ内に供給される。ここで供給される温水量は、飲料毎に定めた最適な量（例えば、飲料の全量の６０％程度の減量濃度が濃い飲料）の湯をカップＣ内に供給されるように温水弁１５を制御する。カップＣ内の各原料に温水を供給しながら、飲料の攪拌に最適な位置に入れられた攪拌羽根２を所定の時間（例えば、３秒間）回転させてカップＣ内で各原料と温水を攪拌混合する。その後、昇降モータ６を逆転駆動して攪拌羽根２を上昇させる際、温水弁１５をオンして飲料の調整に必要とする残りの温水を供給する。温水弁１６から供給された温水は回転軸４を洗浄するとともに回転を続行している攪拌羽根２が温水と原料濃度の濃い飲料を攪拌混合する。さらに、攪拌羽根２が回転しながら上昇してカップＣ内の飲料の上部領域まで上昇すると、温水ノズル７から供給される温水で攪拌羽根２が洗浄される。その際、先刻まで攪拌羽根２で攪拌されていたカップＣ内の飲料は回転流を生じているので、攪拌羽根２から流れ落ちた温水が飲料と混合され、選択された濃度の飲料となる。制御部１４は、温水弁１５をオフしてから所定時間経過後に攪拌モータ３を停止させて水きりを行う。このように、回転する回転軸４および攪拌羽根２に温水を供給して洗浄することにより回転軸４および攪拌羽根２に付着した飲料（特に、糖分）を洗い流すことができ、さらに、洗浄に温水を使用することによって洗浄効果を高めることができる。
【００３１】
飲料調整後のカップＣは、カップ搬送装置によりベンドステージ（商品販売口）に搬送されて販売動作が終了する一方、制御部１４は、飲料攪拌装置１内に上昇させた攪拌羽根２を紫外線により殺菌する。すなわち、制御部１４は、攪拌羽根２が飲料攪拌装置１内に上昇した際、紫外線ＬＥＤ駆動部１６を駆動して紫外線ＬＥＤ１２を発光させる。紫外線ＬＥＤ１２から照射される紫外線は、ケーシング１３に設けた紫外線照射孔１３ａを介して攪拌羽根２および回転軸４に照射される。これにより温水による洗浄によっても洗い流すことができなかった飲料による菌の増殖を抑制し、仮に菌が付着している場合にも殺菌する。この場合、紫外線ＬＥＤ１２は、攪拌羽根２および回転軸４に沿って上下方向に複数個（この実施の形態では３個）配置してなるＬＥＤモジュール１２ａとして構成され、攪拌羽根２および回転軸４の周囲の複数個所（例えば、９０度の間隔ごとの４箇所）にレイアウトされていることから、攪拌羽根２および回転軸４の全周を隈なく殺菌することができる。
【００３２】
ここで、紫外線ＬＥＤ駆動部１６の駆動時間は、衛生状態を確保するうえでは販売待機状態（次に選択ボタンが押されるまで）の期間中とすることが望ましいが、販売待機状態が長くなる場合には紫外線ＬＥＤ１２の寿命を考慮して所定時間（例えば、○○分）と定めるのがよい。また、紫外線ＬＥＤ１２の光度が経時的に低下した場合、制御部１４は、紫外線ＬＥＤ駆動部１６に紫外線ＬＥＤ１２の光度が増大するように光度制御を行って紫外線による殺菌を良好なものとするように構成されている。このため、制御部１４は、紫外線ＬＥＤ１２における発光の積算時間を計測し、その計測値が所定の基準値（時間）を超える場合に紫外線ＬＥＤ１２の光度が増大するように紫外線の光度を調整するようにしている。
【００３３】
なお、上記実施の形態にかかるカップ式自動販売機においては、紫外線ＬＥＤ１２を攪拌羽根２および回転軸４に沿って上下方向に複数個（この実施の形態では３個）配置してなるＬＥＤモジュール１２ａを基本とし、攪拌羽根２および回転軸４の周囲の複数個所（例えば、９０度の間隔ごとの４箇所）にレイアウトされている例について説明したが、次のように構成することもできる。すなわち、ＬＥＤモジュール１２ａを攪拌羽根２および回転軸４の周囲の一箇所のみにレイアウトするとともに当該ＬＥＤモジュール１２ａの、紫外線ＬＥＤ１２を発光させて攪拌羽根２および回転軸４に紫外線を照射する際、攪拌モータ３を回転駆動して攪拌羽根２および回転軸４を回転させるように構成する。これにより攪拌羽根２および回転軸４の全周に紫外線を照射して隈なく殺菌することを維持しつつ、紫外線ＬＥＤ１２の個数を削減してコストを低下することが可能となる。
【００３４】
前述したように、この実施の形態にかかるカップ式自動販売機においては、飲料攪拌装置１の昇降機構によりカップＣ内に入り込むように下降およびカップＣ内からカップＣの外に出るように上昇するとともに回転軸４を有する攪拌羽根２を備え、カップＣ内で飲料を調整するカップ内ミキシング方式のカップ式自動販売機において、上昇した攪拌羽根２の周囲に紫外線光源（紫外線ＬＥＤ１２）を配設し、当該紫外線光源（紫外線ＬＥＤ１２）により攪拌羽根２に紫外線を照射することにより、上昇した攪拌羽根２の周囲に紫外線光源（紫外線ＬＥＤ１２）を配設するという簡単な構成でありながら攪拌羽根２に菌が生成するのを防止して衛生状態を維持することが可能でるという効果を奏する。
【００３５】
なお、上記実施の形態においては、飲料攪拌装置１のケース内に攪拌羽根２を殺菌する紫外線殺菌部１０を設けたものを示したが、飲料攪拌装置１のケースとカップカバー９との間に紫外線殺菌部１０を設けてよいものである。したがって、本発明は実施の形態に限定されるものではない。
【符号の説明】
【００３６】
１…飲料攪拌装置、２…攪拌羽根、３…攪拌モータ、４…回転軸、５…昇降ベース、６…昇降モータ、７…温水ノズル、９…カップカバー、１０…紫外線殺菌部、１２…紫外線ＬＥＤ（紫外線光源）、１３…遮光部材（ケーシング）、１４…制御部、１６…紫外線ＬＥＤ駆動部、５１…ラック、６１…回転数変換部（歯車機構部）、Ｃ…カップ。
【図１】
2015146120.tif 000003
【図２】
2015146120.tif 000004